(57)【要約】【課題】トルソーに装着した衣類見本のずれを防止し、外観を損ねることなく体裁良く展示して顧客の購入意欲を喚起し、商品イメージをアップして、販売促進が図れるようにした衣類の展示販売装置を提供すること。【解決手段】衣類１を陳列する手段２を備えた展示台部３と、該展示台部３の一部に連結具４を介して保持される当該衣類見本装着展示用トルソー５とを有する衣類の展示販売装置であって、該トルソー５の一部に装着衣類見本１ｃの滑り止め手段６を具備させた。【選択図】図１
2005137693.tif 000002
【特許請求の範囲】
【請求項１】
衣類を陳列する手段を備えた展示台部と、該展示台部の一部に連結具を介して保持される当該衣類見本装着展示用トルソーとを有する衣類の展示販売装置において、該トルソーの一部に装着衣類見本の滑り止め手段を具備したことを特徴とする衣類の展示販売装置。
【請求項２】
滑り止め手段を具備したトルソーの一部は、トルソーの背面全体又は背面両脇部であることを特徴とする請求項１に記載の衣類の展示販売装置。
【請求項３】
トルソーの一部に具備された滑り止め手段は、複数の略鋸刃状又は略ピラミッド状の突起を連設した突起状構造或いはゴム等の滑り摩擦抵抗の大きい部材であることを特徴とする請求項１又は２に記載の衣類の展示販売装置。
【請求項４】
衣類を陳列する手段は、棚による載置手段、引き出しによる収容手段、前面に突出した棒状突起物による吊り下げ手段のいずれかであることを特徴とする請求項１〜３のいずれかに記載の衣類の展示販売装置。
【発明の詳細な説明】
【技術分野】
【０００１】
本発明は、下着等の衣類の展示販売装置に関するものである。
【背景技術】
【０００２】
一般に、下着等の衣類は、流通過程での汚損や損傷防止及び輸送過程や陳列段階での嵩張り防止や取扱い性向上等のために折りたたまれて袋詰された状態で陳列展示され、販売されている。
上記衣類の形や特徴は、包装袋の表面等に写真や文字等で表示されているが、これでは顧客へのアピールが十分とは言えず、また、素材感を確かめることもできない。
そこで、本出願人は、袋詰された衣類を陳列展示する展示台の一部に人体模型の一部を表すトルソーを設置し、該トルソーに当該陳列衣類と同じ衣類見本を装着して立体的に展示することによって顧客へのアピールを強め、また、素材感の確認も可能として販売促進を図るようにした衣類展示装置を提案している（特許文献１参照）。
【特許文献１】登録実用新案第３０５３２７１号公報
【発明の開示】
【発明が解決しようとする課題】
【０００３】
ところが、トルソーに装着した衣類見本に顧客が触れて素材感等を確認するため、該衣類見本がずり下がったり、位置ずれや着崩れ等が生じて見苦しくなり、顧客の購入意欲を低下させたり、商品イメージを悪化させ、販売促進に悪影響を与える等の問題点があった。
本発明は、トルソーに装着した衣類見本のずれを防止し、外観を損ねることなく体裁良く展示して顧客の購入意欲を喚起し、商品イメージをアップして、販売促進が図れるようにした衣類の展示販売装置を提供することを課題としている。
【課題を解決するための手段】
【０００４】
前記課題を解決するために本発明に係る衣類の展示販売装置は、衣類を陳列する手段を備えた展示台部と、該展示台部の一部に連結具を介して保持される当該衣類見本装着展示用トルソーとを有する衣類の展示販売装置において、該トルソーの一部に装着衣類見本の滑り止め手段を具備したことを特徴としている。
また、前記滑り止め手段を具備したトルソーの一部は、トルソーの背面全体又は背面両脇部であることを特徴としている。
さらに、前記トルソーの一部に具備された滑り止め手段は、複数の略鋸刃状又は略ピラミッド状の突起を連設した突起状構造或いはゴム等の滑り摩擦抵抗の大きい部材であることを特徴としている。
【０００５】
また、前記衣類を陳列する手段は、棚による載置手段、引き出しによる収容手段、前面に突出した棒状突起物による吊り下げ手段のいずれであってもよい。
【発明の効果】
【０００６】
本発明に係る衣類の展示販売装置は、前記構成としたから、トルソーに装着した衣類見本に顧客が触れて素材感等を確認する場合でも、該衣類見本がずり下がったり、位置ずれや着崩れ等を生じることがない。従って、本発明の前記装置は、トルソーに装着した衣類見本を継続して外観体裁良く立体的に展示して顧客の購入意欲を喚起し、商品イメージをアップして、販売促進が図れる。また、滑り止め手段は、トルソーの背面全体又は背面両脇部に配置しているため、顧客からは目立たず、体裁が良いとともに、トルソーに装着された衣類見本のずれを確実に防止させることができる。さらに、滑り止め手段は、複数の略鋸刃状又は略ピラミッド状の突起を連設した突起状構造或いはゴム等の滑り摩擦抵抗の大きい部材で構成することによって、衣類見本の装着時に支障を生じることがなくスムーズに装着することができ、しかも、衣類見本のずれを確実に防止させることができ、さらに、衣類見本の損傷も防止できる。
【発明を実施するための最良の形態】
【０００７】
以下、本発明の実施形態を図面を参照して説明する。
本発明に係る衣類の展示販売装置は、図１に示すように、衣類１を陳列する手段２を備えた展示台部３と、該展示台部３の一部に連結具４を介して保持される当該衣類見本装着展示用トルソー５とを有する。
衣類１は、男性用下着を例示しており、予め、折りたたんだ状態で包装袋１ａに袋詰され、上部に吊下げ用フック部１ｂを設けたものを例示している。
陳列手段２は、上記衣類１の上部の吊下げ用フック部１ｂを吊下げ支持させ得るように、前部が展示台部３の前面に突出した棒状突起物で構成した場合を例示している。
【０００８】
展示台部３は、キャスター付きの基台３ａに枠状フレーム３ｂを立設したものを例示しており、この枠状フレーム３ｂに陳列手段２を複数段（図１は、３段の場合を例示している）に取付けている。
即ち、枠状フレーム３ｂには、横桟（図示省略）が取付け高さ位置を変更可能に取付けられ、この横桟に陳列手段２の棒状突起物の後部が装着支持されている。上記横桟は３段に設置され、各段の横桟に陳列手段２の棒状突起物を６本ずつ配置した場合を例示している。
【０００９】
そして、陳列手段２の取付領域の上部に横桟３ｃを配置し、この横桟３ｃに連結具４を介してトルソー５が保持させてある。上記横桟３ｃは、枠状フレーム３ｂに取付け高さ位置を変更可能に取付けられている。
連結具４は、図４に示すように、樹脂又は金属板等によって略コ字形に成形した第１クリップ部４ａと第２クリップ部４ｂとを有し、第１クリップ部４ａは、前記横桟３ｃに垂直方向上部から下方に向けて装着され、第２クリップ部４ｂは、トルソー５の一部に水平方向後方から前方に向けて装着される。第２クリップ部４ｂの一部とトルソー５の一部には、係止用突条４ｃ，５ａが形成され、抜け止めが図られている。なお、第２クリップ部４ｂは第１クリップ部４ａの上面２箇所に固着されている。
【００１０】
トルソー５は、本実施形態では、男性の下半身上部模型を例示しており、この場合、該模型は前半身分だけとし、後半身分は垂直にカットして中空殻状として樹脂成形し、上下面には平坦面を形成している。そして、上記トルソー５の一部に装着衣類見本１ｃの滑り止め手段６を具備させるものである。
上記滑り止め手段６を設ける位置は、図３に示すように、トルソー５の背面全体又は背面両脇部とする。この滑り止め手段６としては、複数の略鋸刃状の突起を連設した突起状構造とした場合を例示している。なお、上記突起状構造は、略鋸刃状の突起に代えて、略ピラミッド状の突起を連設したものでもよい。これらの突起状構造は、トルソー５に一体的に形成するものである。そして、これらの突起状構造は、トルソー５に装着された衣類見本１ｃを、生地の織目又は編目に各突起の先端がクサビ状に食い込んで生地を捕捉し、これによって滑り止めするものである。なお、上記突起状構造に代えてゴム等の滑り摩擦抵抗の大きい部材をトルソー５の前記位置に貼り付けるようにしてもよい。
【００１１】
本発明の実施形態は、以上の構成からなるもので、上記トルソー５に予め衣類見本１ｃを装着し、このトルソー５を、図１に示すように、連結具４を介して展示台部３の横桟３ｃに保持させ、展示台部３の陳列手段２に包装袋１ａで包装された衣類１の上部の吊下げ用フック部１ｂを吊下げ支持させて売り場に設置される。このように、本発明に係る衣類の展示販売装置によれば、衣類見本１ｃがトルソー５に装着した状態で展示台部３の上部に立体的に展示されているので、顧客の目にとまりやすく、また、素材感の確認も容易に行えるものである。特に、トルソー５に装着された衣類見本１ｃは、トルソー５の背面両脇部で、しかも、上下方向略全長に亘って設けた滑り止め手段６によって保持させているため、トルソー５の上下方向及び周方向へのずれが防止される。これによって、衣類見本１ｃが、トルソー５に対して、ずり下がったり、位置ずれや着崩れ等を生じることがない。
【００１２】
本発明に係る衣類の展示販売装置の実施形態は、以上の通りであるが、本発明は、男性用下着にのみ制約されるものではなく、女性用下着や、その他の衣類全般に適用することができるものである。また、展示台部３の形態も、種々のものが採用できる。さらに、衣類を陳列する手段２は、棚による載置手段、引き出しによる収容手段等、実施形態以外の手段を採用し得る。また、滑り止め手段６の設置位置は、トルソー５の形態と衣類見本１ｃ形態及びその装着姿勢との関係を考慮して、上下方向及び左右方向にずれないようにすればよい。
【図面の簡単な説明】
【００１３】
【図１】（Ａ）は本発明に係る衣類の展示販売装置の実施形態の概略斜視図、（Ｂ）はトルソー部分の概略縦断側面図である。
【図２】トルソーに衣類を装着した状態の実施形態を示す概略斜視図である。
【図３】（Ａ）はトルソーの実施形態の背面側から見た概略斜視図、（Ｂ）は滑り止め手段の実施形態を示す要部概略拡大側面図である。
【図４】（Ａ）は連結具の実施形態を示す概略斜視図、（Ｂ）は該連結具のトルソー装着状態を示す要部縦断側面図である。
【符号の説明】
【００１４】
１    衣類
１ｃ  衣類見本
２    陳列手段
３    展示台部
４    連結具
５    トルソー
６    滑り止め手段
【図１】
2005137693.tif 000003
【図２】
2005137693.tif 000004
【図３】
2005137693.tif 000005
【図４】
2005137693.tif 000006